(57)【要約】【課題】  施錠付の扉で行先階登録用のボタンを覆うことなく、通常時は行先階表示、非常時は行先階表示と行先階登録を可能にする意匠性の高いエレベータのかご内操作盤を安価に提供する。【解決手段】  エレベータのかご内操作盤において、光を透過させる行先階表示部９を有するフェースプレート８と、かごが停止する行先階を示す行先階表示部９に光を照射する光源１０と、行先階表示部９を透過した光を検知して信号を出力する光検知部１１を設ける。【選択図】図３
2015081148.tif 000002
【特許請求の範囲】
【請求項１】
光を透過させる行先階表示部を有するフェースプレートと、
前記フェースプレートの裏面側に配設された、
前記行先階表示部に光を照射する光源と、
前記フェースプレートの裏面側に配設された、
前記行先階表示部を透過した光を検知して信号を出力する光検知部と、
を備えたことを特徴とするエレベータのかご内操作盤。
【請求項２】
前記光検知部の出力信号に基づき、
前記光検知部と対応した行先階登録要求信号を出力する出力制御部を有する、
ことを特徴とする請求項１に記載のエレベータのかご内操作盤。
【請求項３】
前記出力制御部は、エレベータの運転モードが、
通常運転モードの場合は前記行先階登録要求信号を出力せず、
非常運転モードの場合は前記行先階登録要求信号を出力する、
ことを特徴とする請求項２に記載のエレベータのかご内操作盤。
【請求項４】
前記フェースプレートの裏面と接して設けられた、
前記光源と前記光検知部を囲う遮光板を有する、
ことを特徴とする請求項１〜３に記載のエレベータのかご内操作盤。
【請求項５】
前記光源から前記光検知部へ向かう光の経路上に設けられた、
前記光源からの光を遮る遮光体を有する、
ことを特徴とする請求項１〜４に記載のエレベータのかご内操作盤。
【請求項６】
前記遮光体は、
前記光源から前記光検知部へ直接向かう光を遮断する遮光板を有する、
ことを特徴とする請求項５に記載のエレベータのかご内操作盤。
【請求項７】
前記遮光体は、
前記行先階表示部を透過した光の遮光率より、
前記光源の光の遮光率が高い光学フィルタを有する、
ことを特徴とする請求項５または６に記載のエレベータのかご内操作盤。
【請求項８】
エレベータが非常運転モードに切り替わると前記光源は全て消灯し、
非常運転モードでエレベータに行先階が登録されると、
該行先階を示す前記行先階表示部に光を照射する前記光源が点灯する、
ことを特徴とする請求項１〜７に記載のエレベータのかご内操作盤。
【請求項９】
エレベータが非常運転モードに切り替わると前記光源は全て点灯し、
非常運転モードでエレベータに行先階が登録されると、
該行先階を示す前記行先階表示部に光を照射する前記光源が消灯する、
ことを特徴とする請求項１〜７に記載のエレベータのかご内操作盤。
【発明の詳細な説明】
【技術分野】
【０００１】
この発明は、通常時は行先階表示、非常時は行先階表示と行先階登録を可能にするエレベータのかご内操作盤に関するものである。
【背景技術】
【０００２】
全階床の乗場で行先階登録が可能なエレベータなど、利用者がかごに乗る前に行先階情報を取得するエレベータにおいて、一般客が利用する通常時は、かご内での行先階登録が必須ではない。このため、利便性やセキュリティ性を考慮して、かご内に行先階登録用のボタンを設けないことがある。しかし、保守や消防活動などを行う非常時は、かご内での行先階登録が必要となるため、通常時は行先階登録ができず、非常時は行先階登録が可能なエレベータのかご内操作盤が要求されることがある。
【０００３】
また、ある地域には、全階床の乗場で行先階登録が可能なエレベータにおいて、通常時はかご内操作盤の行先階登録用のボタンを隠さなくてはならないという規則がある。
【０００４】
行先階登録用のボタンを施錠付の扉で覆うと、通常時は行先階登録用のボタンを隠し、非常時のみ行先階登録用のボタンを使用できるようになる。このため、上記要求を満たし、上記規則に準拠することができる。しかし、従来の行先階登録用のボタンは点灯することで行先階表示の役割も果たしているため、行先階登録用のボタンを施錠付の扉で覆うと、行先階表示の役割が失われる。このため、行先階表示部を別に設ける必要がある。
【０００５】
行先階登録にボタンを用いないかご内操作盤として、階床を示すマーク上を通過させた光の遮断を検出することで行先階を登録するエレベータのかご内操作盤が提案されている（例えば、特許文献１参照）。
【先行技術文献】
【特許文献】
【０００６】
【特許文献１】特開２００７−１７６６８２
【発明の概要】
【発明が解決しようとする課題】
【０００７】
従来技術では、行先階登録用のボタンを施錠付の扉で覆うと、行先階表示部を別に設ける必要があり、コストがかかるという課題があった。また、行先階登録用のボタンを施錠付の扉で覆うと、意匠性が低下するという課題があった。また、階床マーク上を通過する光の遮断を検出することで行先階登録用のボタンを排除できるが、行先階を表示する機器を別に設ける必要があり、コストがかかるという課題があった。
【０００８】
本発明は、上記の課題を解決するためになされたもので、上記規則を準拠しながら、通常時は行先階表示、非常時は行先階表示と行先階登録を可能にする意匠性の高いエレベータのかご内操作盤を安価に提供するためのものである。
【課題を解決するための手段】
【０００９】
本発明に係るエレベータのかご内操作盤においては、光を透過させる行先階表示部を有するフェースプレートと、かごが停止する行先階を示す行先階表示部に光を照射する光源と、行先階表示部を透過した光を検知して信号を出力する光検知部を設けたものである。
【発明の効果】
【００１０】
この発明は、光を透過させる行先階表示部を有するフェースプレートと、かごが停止する行先階を示す行先階表示部に光を照射する光源と、行先階表示部を透過した光を検知して信号を出力する光検知部が設けられたものである。このため、非常時に光検知部の出力信号に基づき行先階登録要求信号を出力することで、上記規則を準拠しながら、通常時は行先階表示、非常時は行先階表示と行先階登録を可能にする意匠性の高いエレベータのかご内操作盤を安価に提供できる。
【図面の簡単な説明】
【００１１】
【図１】実施の形態１を示すエレベータのかご室のレイアウト図。
【図２】実施の形態１のかご内操作盤の全体図。
【図３】実施の形態１のかご内操作盤の断面図。
【図４】実施の形態１のブロック図。
【図５】実施の形態２のかご内操作盤の断面拡大図。
【図６】実施の形態３のブロック図。
【発明を実施するための形態】
【００１２】
以下、この発明の実施の形態について図面を参照して説明する。
実施の形態１．
図１は、本発明の実施の形態１を示すエレベータのかご室のレイアウト図、図２はエレベータのかご内操作盤の全体図、図３はエレベータのかご内操作盤の断面図（図２の断面Ａ−Ａ）、図４は実施の形態１のブロック図である。
【００１３】
図１に示すように、階床に渡って昇降するエレベータのかご室１は、開閉自在なドア２を有し、天井パネル３、壁面パネル４及び、床パネル５で囲われている。エレベータのかご内操作盤６は、かご室１内のドア２に隣接した壁面パネル４の上下中央部に設けられている。
【００１４】
図２に示すように、エレベータのかご内操作盤６は、箱形の筐体７と、筐体７の開口部を覆う開閉自在なフェースプレート８を有する。フェースプレート８には、階床を示す形状に打ち抜かれた部分に半透明の樹脂が充填された行先階表示部９が複数設けられている。また、行先階表示部９の下側にドア２の開閉を操作するボタンが設けられている。
【００１５】
図３に示すように、フェースプレート８の裏面側には、行先階表示部９を照らす光源１０と、行先階表示部９を透過した光を検知する光検知部１１が設けられている。また、かご室１内には照明が設けられていて、この照明の光は行先階表示部９を透過して光検知部１１に検知される。光源１０は、光源１０と対応した行先階表示部９全体に光を与える位置に配置されている。光検知部１１は、光検知部１１と対応した行先階表示部９の中央に近い部分を透過したかご室１内の照明の光が当たる位置に配置されている。
【００１６】
光源１０と光検知部１１は基盤１２の１つの面に１つずつ固定されていて、ユニットを形成している。このユニットは、行先階表示部９ごとに配置されていて、フェースプレート８と対向して配置された板１３に固定されている。フェースプレート８と板１３の間には、フェースプレート８と板１３に端部を接し、ユニットの四方を囲う遮光板１４が設けられている。これにより、光源１０は、光源１０と対応した行先階表示部９のみを照らすことができる。また、光検知部１１は、光検知部１１と対応していない行先階表示部９を透過した光を検知しないようになっている。また、操作盤制御部１５がかご内操作盤６内に設けられていて、筐体７の内面に固定されている。
【００１７】
図４に示すように、操作盤制御部１５は点灯制御部１５ａと出力制御部１５ｂを有していて、点灯制御部１５ａは光源１０と、出力制御部１５ｂは光検知部１１と電気的に接続されている。また、点灯制御部１５ａと出力制御部１５ｂは、かご室１の運行を制御するかご制御部１６と電気的に接続されている。かご制御部１６は、各階床のエレベータの乗場に設けられた行先階登録装置１７と、エレベータの乗場に設けられた切替スイッチ１８と電気的に接続されている。
【００１８】
行先階登録装置１７から行先階が入力されると、入力された行先階がかご制御部１６に登録される。かご制御部１６は、登録された行先階へかご室１を昇降させる制御を行う。登録された行先階にかご室１が到着すると、かご制御部１６は、到着した階床を行先階の登録から抹消する。
【００１９】
点灯制御部１５ａは、かご制御部１６に行先階が登録されると、かご制御部１６からの信号を受信し、登録された行先階を示す行先階表示部９を照らす光源１０を点灯させる。また、点灯制御部１５ａは、かご制御部１６が行先階の登録から階床を抹消すると、かご制御部１６からの信号を受信し、抹消された階床を示す行先階表示部９を照らす光源１０を消灯させる。
【００２０】
出力制御部１５ｂは、光検知部１１の出力信号を常時受信していて、光検知部１１の出力信号のレベルが設定可能な登録レベルを下回ると、この光検知部１１と対応した行先階登録要求信号をかご制御部１６へ出力する。光検知部１１と対応した行先階登録要求信号とは、光検知部１１と対応した行先階表示部９が示す階床を行先階として登録することを要求する信号である。
【００２１】
設定可能な登録レベルは、光源１０が消灯された状態で、行先階表示部９に人や物の影が映った場合の光検知部１１の出力信号のレベルと、行先階表示部９に指を押し当てて覆い隠した場合の光検知部１１の出力信号のレベルの間で設定されている。これにより、不意にできた影による誤動作を防止できる。
【００２２】
光検知部１１が検知する光は、行先階表示部９の形状や材質、かご室１内での行先階表示部９の位置、行先階表示部９に対する光検知部１１の位置などにより異なる。このため、登録レベルはそれぞれの光検知部１１に対して設定可能となっている。
【００２３】
エレベータは、運転モードとして通常運転モードと非常運転モードがあり、切替スイッチ１８を操作することで、通常運転モードと非常運転モードとの切り替えが可能となっている。通常運転モードは、通常時に利用される運転モードであり、非常運転モードは、保守や消防活動などの非常時に利用される運転モードである。
【００２４】
切替スイッチ１８により、エレベータの運転モードが通常運転モードから非常運転モードに切り替えられると、かご制御部１６は行先階として登録されている階床を全て抹消し、点灯制御部１５ａは、光源１０を全て消灯させる。
【００２５】
かご制御部１６は、非常運転モードで出力制御部１５ｂから行先階登録要求信号を受信すると、受信した信号が登録を要求している階床を行先階として登録する。通常運転モードでは、出力制御部１５ｂから行先階登録要求信号を受信しても、行先階を登録しない。これにより、通常運転モードでは、かご内操作盤６からの行先階登録を制限し、非常運転モードでは、かご内操作盤６からの行先階登録が可能となっている。
【００２６】
次に、通常運転モードでの動作について説明する。通常運転モードの場合、エレベータの乗場に設けられた行先階登録装置１７から行先階が入力され、かご制御部１６に行先階が登録されると、点灯制御部１５ａは、登録された行先階を示す行先階表示部９を照らす光源１０を点灯させる。これにより、行先階が表示される。
【００２７】
点灯していない行先階表示部９を利用者が指で覆うと、光検知部１１の出力信号のレベルが登録レベルを下回る。これにより、この光検知部１１と対応した行先階登録要求信号が出力制御部１５ｂからかご制御部１６へ出力されるが、かご制御部１６は、行先階登録要求信号を受信しても行先階を登録しない。
【００２８】
かご室１が行先階に到着すると、かご制御部１６は、到着した階床を行先階の登録から抹消し、点灯制御部１５ａは、到着した階床を示す行先階表示部９を照らす光源１０を消灯させる。上記工程が繰り返されることで、行先階表示が行われ、行先階登録は制限される。
【００２９】
次に、非常運転モードでの動作について説明する。切替スイッチ１８により、エレベータの運転モードが通常運転モードから非常運転モードに切り替えられると、かご制御部１６は行先階として登録されている階床を全て抹消し、点灯制御部１５ａは光源１０を全て消灯させる。
【００３０】
点灯していない行先階表示部９を利用者が指で覆うと、光検知部１１の出力信号のレベルが登録レベルを下回る。これにより、この光検知部１１と対応した行先階登録要求信号が出力制御部１５ｂからかご制御部１６へ出力される。かご制御部１６は、行先階登録要求信号を受信すると、受信した信号が登録を要求している階床を行先階として登録する。また、点灯制御部１５ａは、かご制御部１６に登録された行先階を示す行先階表示部９を照らす光源１０を点灯させる。
【００３１】
かご室１が行先階に到着すると、かご制御部１６は、到着した階床を行先階の登録から抹消し、点灯制御部１５ａは、到着した階床を示す行先階表示部９を照らす光源１０を消灯させる。上記工程が繰り返されることで、行先階表示と行先階登録が行われる。
【００３２】
このようなエレベータのかご内操作盤６では、通常運転モードではフェースプレート８の裏面側から光源１０が行先階表示部９を照らして行先階表示ができる。また、非常運転モードでは行先階表示部９を透過した光の変化を検知することで行先階登録もできる。このため、通常時は行先階表示、非常時は行先階表示と行先階登録を可能にするエレベータのかご内操作盤を安価に実現できる。
【００３３】
また、このようなエレベータのかご内操作盤６では、通常運転モードでは行先階表示部９で行先階表示が行われる。このため、全階床の乗場で行先階登録が可能なエレベータにおいて、通常時はかご内操作盤の行先階登録用のボタンを隠さなくてはならないという規則を準拠できる。
【００３４】
また、このようなエレベータのかご内操作盤６では、施錠付の扉で行先階登録用のボタンを覆うことなく上記規則を準拠できるため、行先階登録用のボタンを施錠付の扉で覆う場合よりも意匠性が改善される。
【００３５】
また、このようなエレベータのかご内操作盤６では、非常時は行先階表示部９を指で覆うことで、覆った行先階表示部９が示す階床を行先階として登録できる。このため、行先階の登録のために鍵などの専用品を必要としないため、施錠付の扉で行先階登録用のボタンを覆うよりも利便性が向上する。
【００３６】
なお、本実施の形態では、フェースプレート８に設けられた行先階表示部９は階床を示す形状に打ち抜かれた部分に半透明の樹脂が充填された構成であるが、光源１０の光をフェースプレート８の表面側まで透過させ、フェースプレート８の表面側の光が裏面側に届く透光性を有するものであれば何を用いても良い。例えば、フェースプレート８の裏面に透光性のあるフィルムを貼付する構成であっても良い。
【００３７】
また、切替スイッチ１８がエレベータの乗場に設けられているが、設置場所は本実施の形態の設置場所に限定されないし、切替スイッチ１８が設けられない構成であっても良い。例えば、ビルに設置された火災検知器と連動し、火災が検知された場合に通常運転モードから非常運転モードに切り替わる構成であっても良い。
【００３８】
また、操作盤制御部１５は、かご内操作盤６内に設けられているが、かご内操作盤６外に設けられていても良い。
【００３９】
また、出力制御部１５ｂは、運転モードに関わらず、光検知部１１の出力信号に基づき行先階登録要求信号を出力するが、通常運転モードの場合は行先階登録要求信号を出力せず、非常運転モードの場合は行先階登録要求信号を出力する構成であっても良い。
【００４０】
この場合、通常運転モードでもかご制御部１６は行先階登録を制限する必要がない。このため、既設エレベータに設けられた行先階登録用のボタンを備えたかご内操作盤をかご内操作盤６と交換することで、既設エレベータのかご制御部を改造せずに、通常時は行先階表示、非常時は行先階表示と行先階登録を可能にできる。
【００４１】
また、出力制御部１５ｂは、操作盤制御部１５とは別の要素に含まれていても良い。例えば、光源１０と光検知部１１が構成するユニットの基盤１２に前記比較を行い、行先階登録要求信号を出力する回路が設けられていても良い。
【００４２】
また、出力制御部１５ｂが行先階登録要求信号を出力するのは、光検知部１１の出力信号のレベルが登録レベルを下回った場合であるが、行先階表示部９を透過した光に基づいていればどのような場合でも良い。
【００４３】
例えば、１つの光検知部１１のみ出力信号のレベルが登録レベルを超えた場合に、この光検知部１１と対応した行先階登録要求信号を出力しても良い。この場合、フェースプレート８の表面側からライトが行先階表示部９に当てられると、この行先階表示部９が示す階床を行先階として登録することを要求する行先階登録要求信号が出力制御部１５ｂからかご制御部１６へ出力される。これにより、かご室１内の照明が消灯している場合でも行先階登録ができる。
【００４４】
また、光源１０による行先階の表示は、行先階である階床を示す行先階表示部９を照らす光源１０と、行先階ではない階床を示す行先階表示部９を照らす光源１０の点灯状態が異なれば良い。例えば、行先階である階床を示す行先階表示部９を照らす光源１０を消灯させ、行先階ではない階床を示す行先階表示部９を照らす光源１０を点滅させることで行先階を表示しても良い。
【００４５】
また、設定可能な登録レベルは、１つの光検知部１１に対して１つ設定されているが、１つの光検知部１１に対して複数設定されていても良い。例えば、光源１０が点灯されている場合に用いる登録レベルと、光源１０が消灯されている場合に用いる登録レベルの２つが設定されていても良い。この場合、光源１０が点灯しているか、消灯しているかに関わらず、光検知部１１の出力信号に基づく操作が可能となる。
【００４６】
また、光源１０と光検知部１１はユニットを構成しているのが製作上好ましいが、光源１０と光検知部１１が別体の構成であっても良いし、複数の光源１０と光検知部１１でユニットが構成されていても良い。
【００４７】
また、エレベータのかご内操作盤６のかご室１内での設置場所は本実施の形態の設置場所には限定されない。
【００４８】
実施の形態２．
図５は、本発明の実施の形態２のエレベータのかご内操作盤の断面（実施の形態１の図２における断面Ａ−Ａに相当する断面）の１つのユニットを拡大した図である。本実施の形態では、光源１０は、光の波長が６００〜７００ｎｍのＬＥＤが用いられている。
【００４９】
光学フィルタ１９は、波長４００〜５５０ｎｍの光を８０％以上透過し、波長６００〜７００ｎｍの光を９５％以上遮光する、合成ガラスで構成されたショートパスフィルタである。光学フィルタ１９は、光検知部１１と行先階表示部９の間に、フェースプレート８と平行に光検知部１１と接して設けられている。
【００５０】
また、かご室１内の照明は、白色光が用いられていて、光学フィルタ１９を８０％以上透過する波長４００〜５５０ｎｍの光を含んでいる。
【００５１】
遮光板２０は、光源１０から光検知部１１へ直接向かう光を遮断すると共に、フェースプレート８の裏面などで反射した光源１０の光が、光学フィルタ１９を通過せずに光検知部１１へ届かないように、光検知部１１を囲んで設けられている。また、遮光板２０は、基盤１２と光学フィルタ１９に隙間なく端部を接して設けられている。
【００５２】
遮光板２０と光学フィルタ１９を設けることで、光検知部１１が検知する光源１０からの光を低減させている。これにより、光源１０が消灯された状態で行先階表示部９に人や物の影が映った場合の光検知部１１の出力信号のレベル（１）が、光源１０が点灯された状態で行先階表示部９に指を押し当てて覆い隠した場合の光検知部１１の出力信号のレベル（２）より高くなっている。
【００５３】
設定可能な登録レベルは、出力信号のレベル（１）と出力信号のレベル（２）の間で設定されている。これにより、光源１０の点灯状態に関らず、１つの光検知部１１に対して１つの登録レベルを設定すれば、不意にできた影による誤動作の防止を図りながら、行先階表示部９が指で覆われたことを検出できる。
【００５４】
仮に、出力信号のレベル（１）が出力信号のレベル（２）より低いとすると、不意にできた影による誤動作の防止を図るためには、光源１０が点灯されている場合に用いる登録レベルと、光源１０が消灯されている場合に用いる登録レベルの２つが必要となる。このため、光検知部１１の出力信号のレベルと登録レベルの比較を行う構成が、登録レベルが１つの場合に比べて複雑になる。
【００５５】
点灯制御部１５ａは、非常運転モードでかご制御部１６に行先階が登録されると、かご制御部１６からの信号を受信し、登録された行先階を示す行先階表示部９を照らす光源１０を消灯させる。また、点灯制御部１５ａは、非常運転モードでかご制御部１６が行先階の登録から階床を抹消すると、かご制御部１６からの信号を受信し、抹消された階床を示す行先階表示部９を照らす光源１０を点灯させる。
【００５６】
かご制御部１６は、非常運転モードで行先階登録要求信号を受信し、受信した信号が登録を要求している階床が既に行先階として登録されていた場合、この階床を行先階の登録から抹消する。他の構成は実施の形態１と同様である。また、通常運転モードでの動作は実施の形態１と同様である。
【００５７】
次に、非常運転モードでの動作について説明する。エレベータの乗場に設けられた切替スイッチ１８により、エレベータの運転モードが通常運転モードから非常運転モードに切り替えられると、かご制御部１６は行先階として登録されている階床を全て抹消し、点灯制御部１５ａは光源１０を全て点灯させる。
【００５８】
点灯している行先階表示部９を利用者が指で覆うと、光検知部１１の出力信号のレベルが登録レベルを下回る。これにより、この光検知部１１と対応した行先階登録要求信号が出力制御部１５ｂからかご制御部１６へ出力される。かご制御部１６は、行先階登録要求信号を受信すると、受信した信号が登録を要求している階床を行先階として登録する。また、点灯制御部１５ａは、かご制御部１６に登録された行先階を示す行先階表示部９を照らす光源１０を消灯させる。
【００５９】
点灯していない行先階表示部９を利用者が再度指で覆い、光検知部１１の出力信号のレベルが登録レベルを再度下回ると、この光検知部１１と対応した行先階登録要求信号が出力制御部１５ｂからかご制御部１６へ再度出力される。かご制御部１６は、受信した信号が登録を要求している階床が既に行先階として登録されているため、この階床を行先階の登録から抹消する。点灯制御部１５ａは、かご制御部１６が登録を抹消した階床を示す行先階表示部９を照らす光源１０を点灯させる。これにより、行先階の登録がキャンセルされる。
【００６０】
かご室１が行先階に到着すると、かご制御部１６は、到着した階床を行先階の登録から抹消し、点灯制御部１５ａは、到着した階床を示す行先階表示部９を照らす光源１０を点灯させる。上記工程が繰り返されることで、行先階表示と行先階登録が行われる。
【００６１】
このようなエレベータのかご内操作盤６では、行先階登録操作を行うときには光源１０が点灯しているため、行先階表示部９を指で隙間なく覆えているかどうかを光源１０が点灯していない場合より容易に視認できる。
【００６２】
また、遮光体である、遮光板２０と光学フィルタ１９を設けているため、光検知部１１に対して１つの登録レベルが設定されれば、光源１０の点灯状態に関らず、光検知部１１の出力信号に基づく操作が可能となる。
【００６３】
なお、光源１０の光の波長帯、光学フィルタ１９が遮光する光の波長帯、かご内照明の光の波長帯は本実施の形態の波長帯に限定されない。
【００６４】
実施の形態３．
図６は、本発明の実施の形態３のブロック図である。本実施の形態では、点灯制御部１５ａと出力制御部１５ｂが電気的に接続されていて、出力制御部１５ｂから点灯制御部１５ａへ行先階登録要求信号が出力される。また、かご制御部１６から点灯制御部１５ａへ、点灯制御部１５ａが行先階登録要求信号を受信した場合に、点灯状態の変更を許可する光源１０を示す変更許可信号が出力されている。
【００６５】
点灯制御部１５ａは、受信した行先階登録要求信号が登録を要求する階床を示す行先階表示部９を照らす光源１０が変更を許可された光源１０であれば、この光源１０の点灯を次のように制御する。光源１０が行先階であることを示す点灯状態であれば、行先階ではないことを示す点灯状態に、光源１０が行先階ではないことを示す点灯状態であれば、行先階であることを示す点灯状態に光源１０の点灯を制御する。他の構成は実施の形態１または２と同様である。
【００６６】
このようなエレベータのかご内操作盤６では、行先階登録要求信号が出力制御部１５ｂから点灯制御部１５ａに出力されない場合よりも、光検知部１１の出力に基づく光源１０の点灯制御の応答を早めることができ、操作性が向上する。
【符号の説明】
【００６７】
１  かご室、２  ドア、３  天井パネル、４  壁面パネル、５  床パネル、
６  かご内操作盤、７  筐体、８  フェースプレート、９  行先階表示部、
１０  光源、１１  光検知部、１２  基盤、１３  板、１４  遮光板、
１５  操作盤制御部、１５ａ  点灯制御部、１５ｂ  出力制御部、
１６  かご制御部、１７  行先階登録装置、１８  切替スイッチ、
１９  光学フィルタ、２０  遮光板
【図１】
2015081148.tif 000003
【図２】
2015081148.tif 000004
【図３】
2015081148.tif 000005
【図４】
2015081148.tif 000006
【図５】
2015081148.tif 000007
【図６】
2015081148.tif 000008